(57)【要約】【課題】複数装置の統合化による設置面積のコンパクト化、コスト低減、デジタル化による品質向上を実現できるデジタル統合型マルチビジョンプロセッサ装置を得る。【解決手段】複数の入力映像を複数の表示装置５Ａ〜５Ｆに切替えて表示するマルチビジョンプロセッサ装置３において、前記入力映像が入力され、前記入力映像がアナログ映像の場合にデジタル映像に変換する映像入力手段３１，３２と、該映像入力手段が出力する前記デジタル映像の出力先を切替える切替え手段３３と、該切替え手段から出力される前記デジタル映像をベース映像に重畳させて表示するオーバレイ手段３４とを含み、これらの手段を単一のユニットとして一体的に統合した。【選択図】図１
2008154054.tif 000002
【特許請求の範囲】
【請求項１】
複数の入力映像を複数の表示装置に切替えて表示するマルチビジョンプロセッサ装置において、
前記入力映像が入力され、前記入力映像がアナログ映像の場合にデジタル映像に変換する映像入力手段と、
該映像入力手段が出力する前記デジタル映像の出力先を切替える切替え手段と、
該切替え手段から出力される前記デジタル映像をベース映像に重畳させて表示するオーバレイ手段とを含み、
これらの手段を単一のユニットとして一体的に統合したことを特徴とするデジタル統合型マルチビジョンプロセッサ装置。
【請求項２】
複数の入力映像を複数の表示装置に切替えて表示するマルチビジョンプロセッサ装置において、
前記入力映像が入力され、前記入力映像がアナログ映像の場合にデジタル映像に変換する映像入力手段と、
該映像入力手段が出力する前記デジタル映像の出力先を切替える切替え手段と、
該切替え手段から出力される前記デジタル映像を前記表示装置に対応した解像度に変更して前記表示装置全体に表示するスルー表示手段とを含み、
これらの手段を単一のユニットとして一体的に統合したことを特徴とするデジタル統合型マルチビジョンプロセッサ装置。
【請求項３】
前記スルー表示手段が、前記切替え手段から出力される前記デジタル映像から任意の位置及びサイズで映像を切出す切出し手段と、該切出し手段が切出した画像を１個または複数の表示装置に表示できるように拡大する拡大表示手段を有することを特徴とする請求項２に記載のデジタル型マルチビジョンプロセッサ装置。
【請求項４】
１個の前記表示装置の表示領域を分割して複数の前記入力映像を表示する分割合成表示手段を備えたことを特徴とする請求項１乃至３の何れかに記載のデジタル型マルチビジョンプロセッサ装置。
【請求項５】
前記映像入力手段は、ＮＴＳＣ映像である前記入力映像を処理するＮＴＳＣカード部またはＲＧＢ映像である前記入力映像を処理するＲＧＢカード部により構成され、
前記オーバレイ手段はオーバレイカード部により構成されると共に、
前記切替え手段は、前記ＮＴＳＣカード部または前記ＲＧＢカード部を入力とし前記オーバレイカード部を出力として一体的に接続するスロット構成を有するスイッチャカード部として構成されることを特徴とする請求項１に記載のデジタル統合型マルチビジョンプロセッサ装置。
【請求項６】
前記映像入力手段は、ＮＴＳＣ映像である前記入力映像を処理するＮＴＳＣカード部またはＲＧＢ映像である前記入力映像を処理するＲＧＢカード部により構成され、
前記スルー表示手段はスルーカード部により構成されると共に、
前記切替え手段は、前記ＮＴＳＣカード部または前記ＲＧＢカード部を入力とし前記スルーカード部を出力として一体的に接続するスロット構成を有するスイッチャカード部として構成されることを特徴とする請求項２に記載のデジタル統合型マルチビジョンプロセッサ装置。
【発明の詳細な説明】
【技術分野】
【０００１】
この発明は、カメラ映像やＲＧＢ映像等の各種の映像を複数の表示装置に表示するマルチビジョンプロセッサ装置に関するものである。
【背景技術】
【０００２】
この種のマルチビジョンプロセッサ装置として用いられるオーバレイ装置は、例えば、特許文献１に示されるように、カメラにより撮像された監視画像を複数の表示部分に分割して、複数の表示装置毎に各表示部分を割り当て、それらの表示部分を各表示装置毎のベース画像に重ねて表示させ、各表示装置のベース画像とともに監視画像を表示している。
【０００３】
【特許文献１】特開２００４−２６６６１２号公報
【発明の開示】
【発明が解決しようとする課題】
【０００４】
従来のオーバレイ装置は、複数のカメラ映像、ＲＧＢ映像を切替えて複数の表示装置に表示する場合に、外部のＲＧＢ切替え器、ＮＴＳＣ切替え器、ＮＴＳＣ映像をＲＧＢ映像に変換するスキャンコンバータ装置が必要となり、広い設置面積が要求されると共に、装置のコストが高くなることや、アナログ映像を制御する装置を複数用いてシステムを構築するため、映像品質の劣化が問題となっていた。
【０００５】
この発明は上記のような課題を解決するためになされたものであり、複数装置の統合化による設置面積のコンパクト化、コスト低減、デジタル化による品質向上を実現できるデジタル統合型マルチビジョンプロセッサ装置を得ることを目的とする。
【課題を解決するための手段】
【０００６】
この発明に係るデジタル統合型マルチビジョンプロセッサ装置は、複数の入力映像を複数の表示装置に切替えて表示するマルチビジョンプロセッサ装置において、前記入力映像が入力され、前記入力映像がアナログ映像の場合にデジタル映像に変換する映像入力手段と、該映像入力手段が出力する前記デジタル映像の出力先を切替える切替え手段と、該切替え手段から出力される前記デジタル映像をベース映像に重畳させて表示するオーバレイ手段とを含み、これらの手段を単一のユニットとして一体的に統合したものである。
【発明の効果】
【０００７】
この発明に係るデジタル統合型マルチビジョンプロセッサ装置によれば、デジタル統合型の単一ユニットとして設置面積の縮小とコスト低減を図れるという効果がある。
【発明を実施するための最良の形態】
【０００８】
実施の形態１．
以下、この発明の実施の形態１について詳細に説明する。図１は、この発明の実施の形態１を示すデジタル統合型マルチビジョンプロセッサ装置を含むマルチビジョンシステムのブロック構成図である。
図１に示すマルチビジョンシステムは、カメラ映像を出力する４台のカメラ１Ａ〜１Ｄと、ＲＧＢ映像を出力するＲＧＢ映像装置２と、この発明を構成するマルチビジョンプロセッサ装置３と、ベース画面出力装置４と、２つの表示装置５Ａ，５Ｂを含んでいる。
ベース画面出力装置４は、デスクトップ映像や、地図、写真などの固定画像をオーバレイ表示するためのパソコンである。
【０００９】
マルチビジョンプロセッサ装置３は、映像入力手段としてＮＴＳＣカード部３１と、ＲＧＢカード部３２、切替え手段としてスイッチャカード部３３、オーバレイ手段としてオーバレイカード部３４を含み、これらの手段を単一のユニットとして一体的に構成されている。
各ＮＴＳＣカード部３１は、各カメラ１Ａ〜１Ｄからのカメラ映像をＲＧＢ映像に変換するスキャンコンバータ手段と、アナログ映像をデジタル映像に変換するデジタル変換手段を備えたカードである。１枚のＮＴＳＣカード部３１に４つのカメラ映像を入力でき、変換された映像は４つ出力することができる。
各ＲＧＢカード部３２は、アナログＲＧＢ映像をデジタル映像に変換するデジタル変換手段を備えたカードである。１枚のＲＧＢカード部３２に４つのＲＧＢ映像を入力でき、変換された映像は４つ出力することができる。
各スイッチャカード部３３は、ＮＴＳＣカード部３１やＲＧＢカード部３２からのデジタル映像入力を任意に切替える切替え手段を備えたカードである。スイッチャカード部３３には、デジタル映像入力を３２個入力でき、切替えた映像を３２個出力することができる。
各オーバレイカード部３３は、スイッチャカード部３３からのデジタル映像入力をベース映像に重畳させて表示するオーバレイ表示手段と、任意の位置、サイズに表示する切出し手段を備えたカードである。１枚のオーバレイカード部３３に４つの映像と、１つのベース映像を入力でき、１つの表示装置に４つの映像を重畳させて表示することができる。
なお、ＮＴＳＣカード部とＲＧＢカード部が入出力する映像の数は、４個でなくても良い。また、スイッチカード部に入出力できる映像の数は、３２個でなくてもよい。
また、図１では簡略化のため１個のＮＴＳＣカード部３１と１個のＲＧＢカード部３２にだけ映像入力装置を接続した場合を示しているが、他のＮＴＳＣカード部３１、ＲＧＢカード部３２にも同様に映像入力装置が接続されることは言うまでもない。
【００１０】
図２は、マルチビジョンプロセッサ装置３の内部配置構成図であり、マルチビジョン装置３には、スイッチャカード部３３が内蔵され、最大各８枚まで接続できる入力系カード、出力系カードがスイッチャカード部３３に一体的に接続されるスロット構成になっている。入力系カードには、ＮＴＳＣカード部３１とＲＧＢカード部３２があり、出力系カードにはオーバレイカード部３４がある。
【００１１】
次に動作について説明する。図１において、各カメラ１Ａ〜１Ｄで撮像されたカメラ映像は、マルチビジョンプロセッサ装置３内のＮＴＳＣカード部３１に入力され、ＮＴＳＣ映像からＲＧＢ映像へスキャンコンバータ手段によって変換され、デジタル変換手段によってデジタル映像に変換され、スイッチャカード部３３に入力される。
ＲＧＢ映像装置２からのＲＧＢ映像は、マルチビジョンプロセッサ装置３内のＲＧＢカード部３２に入力され、デジタル変換手段によって、デジタル映像に変換され、スイッチャカード部３３に入力される。
スイッチャカード部３３では、入力されたデジタル映像を高速に切替え、オーバレイカード部３４に入力する。オーバレイカード部３４では、切出し手段を用いて、任意の位置、サイズを算出し、オーバレイ表示手段を用いて、ベース画面出力装置４が入力するベース映像に切出したカメラ映像及びＲＧＢ映像を重畳させて、複数の表示装置５Ａ，５Ｂにオーバレイ表示する。
なお、ＮＴＳＣカード部３１では、カメラ映像のみでなく、ビデオなどのＮＴＳＣ映像も入力することができる。
また、ＮＴＳＣ映像またはＲＧＢ映像ではなく、デジタルカメラからのデジタルカメラ映像や、ＤＶＤなどの記録装置に記録されたデジタル映像が再生されるデジタルビデオ映像が入力されてもよい。その場合には、デジタル映像を処理するカード部がＮＴＳＣカード部またはＲＧＢカード部の代わりに使用される。
【００１２】
以上のように実施の形態１によれば、複数の入力映像を複数の表示装置に切替えて表示するマルチビジョンプロセッサ装置において、前記入力映像が入力され、前記入力映像がアナログ映像の場合にデジタル映像に変換する映像入力手段と、該映像入力手段が出力する前記デジタル映像の出力先を切替える切替え手段と、該切替え手段から出力される前記デジタル映像をベース映像に重畳させて表示するオーバレイ手段とを含み、これらの手段を単一のユニットとして一体的に統合したので、従来２種類の外部切替え器が必要であった部分を１枚のスイッチャカード部で実現でき、デジタル統合型の単一ユニットとして設置面積の縮小とコスト低減を図れるという効果がある。
また、映像入力手段が備えたデジタル変換手段を用いて、映像をデジタル映像化することにより、映像品質を向上するという効果がある。
更に、切替え手段を、スロット構成を有するスイッチャカード部として構成することにより、入力数、出力数に応じて柔軟にシステムを構築することができるという効果がある。
【００１３】
実施の形態２．
上記実施の形態１では、複数の入力映像を複数の表示装置５Ａ，５Ｂにオーバレイ表示する場合について述べたが、図３に示すように、オーバレイカード部の代わりにスルーカード部３５を設けることにより、複数の映像を任意に切替え、表示装置全体に映像をスルー表示することができる。
スルーカード部３５は、デジタル化された入力を表示装置の解像度に変換するスキャンコンバータ手段と、表示装置全体に表示するスルー表示手段を備えたカードである。１枚のスルーカード部３５に４つの映像を入力でき、４つの表示装置５Ａ〜５Ｄに４つの映像を表示することができる。
【００１４】
次に動作について説明する。
図３において、カメラ１で撮像されたカメラ映像は、ＮＴＳＣカード部３１に入力され、ＮＴＳＣ映像からＲＧＢ映像へスキャンコンバータ手段によって変換される。同様にしてＲＧＢ映像装置２からのＲＧＢ映像は、ＲＧＢカード部３２に入力される。入力された入力映像は、ＮＴＳＣカード部３１とＲＧＢカード部３２にてデジタル手段によって、デジタル映像に変換され、スイッチャカード部３３に入力される。
スイッチャカード部３３では、入力されたデジタル映像を高速に切替え、スルーカード部３５に入力する。スルーカード部３５では、入力されたデジタル映像を各表示装置に対応した解像度に変換し、４つの表示装置５Ａ〜５Ｄ全体に表示する。
【００１５】
この実施の形態２によれば、表示装置に対応した解像度に応じて出力解像度を変換する手段を備えているため、多彩な表示装置に表示することができるという効果がある。
また、デジタル化した映像を直接出力するため、映像の劣化を防ぎ映像品質を向上することができるという効果がある。
更に、カメラ映像、ＲＧＢ映像などの映像の種類に関係なく、複数画面に切替え、表示することができるという効果がある。
【００１６】
実施の形態３．
上記実施の形態２では、複数の入力映像を複数の表示装置５Ａ〜５Ｄにスルー表示する場合について述べたが、図４に示すように、カメラ１からの入力映像をスイッチャカード部３３にて、スルーカード部３５へ切替え、スルーカード部３５では、カメラ映像の位置、サイズを任意に切出す切出し手段と、４つの表示装置５Ａ〜５Ｄに跨って拡大する拡大手段を設け、拡大スルー表示することができる。
【００１７】
図４は、４つの表示装置５Ａ〜５Ｄにカメラ映像を拡大して表示する例である。カメラ１で撮像されたカメラ映像は、ＮＴＳＣカード部３１に入力され、ＮＴＳＣ映像からＲＧＢ映像へスキャンコンバータ手段によって変換される。入力された入力映像は、ＮＴＳＣカード部３１にてデジタル手段によって、デジタル映像に変換され、スイッチャカード部３３に入力される。
スイッチャカード部３３では、入力されたデジタル映像を高速に切替え、４枚のスルーカード部３５に同一映像を出力する。スルーカード部３５では、入力されたデジタル映像を各表示装置の解像度に変換し、更に任意の位置、サイズを算出し入力映像を切出し、４つの表示装置５Ａ〜５Ｄに拡大して表示している。
【００１８】
この実施の形態３によれば、スルーカード部３５では、入力映像を任意の位置、サイズに切出すことができることにより、複数の表示装置５Ａ〜５Ｄに跨って拡大表示することができるという効果がある。
【００１９】
実施の形態４．
上記実施の形態１では、複数の入力映像を複数の表示装置５Ａ〜５Ｄにオーバレイ表示する場合について述べたが、図５に示すように、スルーカード部３５とオーバレイカード部３４を混在させ、表示装置５Ａ、表示装置５Ｄには、複数の映像をオーバレイ表示させ、表示装置５Ｂ，５Ｃ，５Ｅ，５Ｆには、映像を拡大して表示することができる。
【００２０】
図５は、６つの表示装置５Ａ〜５Ｆで構成される６つの表示面に対してオーバレイ表示、拡大スルー表示するときの例である。４台のカメラ１で撮像されたカメラ映像は、ＮＴＳＣカード部４に入力され、ＮＴＳＣ映像からＲＧＢ映像へスキャンコンバータ手段によって変換される。同様にしてＲＧＢ映像装置２のＲＧＢ映像は、ＲＧＢカード部３２に入力される。入力された入力映像は、ＮＴＳＣカード部３１とＲＧＢカード部３２にてデジタル変換手段によって、デジタル映像に変換され、スイッチャカード部３３に入力される。
スイッチャカード部３３では、デジタル映像をスルーカード部３５とオーバレイカード部３４に切替える。スルーカード部３５では、映像を任意の位置、サイズに切出し、カメラ１Ｂの映像を４つの表示装置５Ｂ，５Ｃ，５Ｅ，５Ｆにスルー表示する。オーバレイカード部３４では、カメラ１Ａ，１Ｃ，１Ｄ及びＲＧＢ映像装置２の映像を任意の位置、サイズに切出し、ベース映像と重畳させ、２つの表示装置５Ａ，５Ｄにオーバレイ表示している。
【００２１】
この実施の形態４によれば、１台のマルチビジョンプロセッサ装置３で拡大スルー表示、オーバレイ表示を同時に実現することができることにより、設置面積の縮小、コスト低減を実現するという効果がある。
また、マルチビジョンプロセッサ装置３は、最大各８枚まで接続できる入力系カード、出力系カードがスイッチャカード部３３に一体的に接続されるスロット構成になっているため、出力カードを自由に選択でき、柔軟にシステムを構築することができ、拡張性を向上することができるという効果がある。
【００２２】
実施の形態５．
上記実施の形態４では、複数の入力映像をスルーカード部３５、オーバレイカード部３４を用いて６つの表示装置５Ａ〜５Ｆに拡大スルー表示、オーバレイ表示する場合について述べたが、図６に示すように、２つのスルーカード部３５、２つのオーバレイカード部３４、４つの４分割合成カード部３６を混在させ、表示装置５Ａにはオーバレイ表示、表示装置５Ｂ，５Ｃ，５Ｅ，５Ｆには拡大スルー表示、表示装置５Ｄには４つの入力映像を縮小して並べて表示する４分割表示することができる。
【００２３】
４分割合成カード部３６は、デジタル化された入力を縮小する縮小手段と、縮小された４映像を１つの表示装置に合成する合成手段を備えたカードである。１枚の４分割合成カード部３６には、４つの映像を入力でき、１つの表示装置に４つの映像を４分割して表示することができる。
【００２４】
図６は、６つの表示装置５Ａ〜５Ｆの６面に対して、拡大スルー表示、オーバレイ表示、４分割表示をするときの例である。各カメラ１Ａ〜１Ｄで撮像されたカメラ映像は、ＮＴＳＣカード部３１に入力され、ＮＴＳＣ映像からＲＧＢ映像へスキャンコンバータ手段によって変換される。同様にＲＧＢ映像装置２からのＲＧＢ映像は、ＲＧＢカード部３２に入力される。入力された入力映像は、ＮＴＳＣカード部３１とＲＧＢカード部３２にてデジタル変換手段によって、デジタル映像に変換され、スイッチャカード部３３に入力される。
スイッチャカード部３３では、デジタル映像をスルーカード部３５、オーバレイカード部３４、４分割合成カード部３６に切替える。スルーカード部３５では、カメラ１Ｂの映像を４つの表示装置５Ｂ，５Ｃ，５Ｅ，５Ｆに拡大スルー表示し、オーバレイカード部３４では、カメラ１Ａ、１Ｃの映像を表示装置５Ａにオーバレイ表示し、４分割合成カード部３６では、カメラ１Ａ，１Ｂ，１Ｄ及びＲＧＢ映像装置２の映像を表示装置５Ｄに４分割表示している。なお、分割数は４分割でなくてもよい。
【００２５】
この実施の形態５によれば、外部に４分割合成表示手段が不要となり、設置面積の縮小、コスト低減を実現するという効果がある。
また、マルチビジョンプロセッサ装置３は、最大各８枚まで接続できる入力系カード、出力系カードがスイッチャカード部３３に一体的に接続されるスロット構成になっているため、出力カードを自由に選択でき、柔軟にシステムを構築することができ、拡張性を向上することができるという効果がある。
【図面の簡単な説明】
【００２６】
【図１】この発明の実施の形態１を示すマルチビジョンシステムのブロック構成図である。
【図２】この発明の実施の形態１を示すマルチビジョンシステムの内部配置構成図である。
【図３】この発明の実施の形態２を示すマルチビジョンシステムのブロック構成図である。
【図４】この発明の実施の形態３を示すマルチビジョンシステムのブロック構成図である。
【図５】この発明の実施の形態４を示すマルチビジョンシステムのブロック構成図である。
【図６】この発明の実施の形態５を示すマルチビジョンシステムのブロック構成図である。
【符号の説明】
【００２７】
１，１Ａ，１Ｂ，１Ｃ，１Ｄ  カメラ
２  ＲＧＢ映像装置
３  マルチビジョンプロセッサ装置
３１  ＮＴＳＣカード部
３２  ＲＧＢカード部
３３  スイッチャカード部
３４  オーバレイカード部
３５  スルーカード部
３６  ４分割合成カード部
４  ベース画面出力装置
５Ａ，５Ｂ，５Ｃ，５Ｄ，５Ｅ，５Ｆ  表示装置
【図１】
2008154054.tif 000003
【図２】
2008154054.tif 000004
【図３】
2008154054.tif 000005
【図４】
2008154054.tif 000006
【図５】
2008154054.tif 000007
【図６】
2008154054.tif 000008